(57)【要約】  【課題】アスベスト含有物その他の粉塵を水中で凝集剤によって凝集し捕獲可能とする手法を実現することにあり、粉塵の再浮遊を防ぐと共に作業環境の改善を図る。  【解決手段】上部空間が吸引手段に接続された水タンクの水中に、アスベストやその他の粉塵と凝集剤を吸入して、水中で粉塵を凝集剤で凝集させ捕獲する方法である。このように、上部空間が吸引手段に接続された水タンクの水中に、アスベストその他の粉塵と凝集剤を吸入するため、吸引された粉塵が水中で凝集剤と接触して凝集され、沈殿するので、水中で粉塵を凝集させ捕獲することが可能となる。こうして、粉塵が凝集剤で凝集捕獲されるので、一旦除去し捕獲された粉塵が、再度空気中に浮遊するような問題が解消され、作業環境も改善される。凝集剤で捕獲された状態で粉塵を廃棄処理できるので、後処理も簡便となる。【選択図】  図１
2007319826.tif 000002
【特許請求の範囲】
【請求項１】
上部空間が吸引手段に接続された水タンクの水中に、アスベストやその他の粉塵と凝集剤を吸入して、水中で粉塵を凝集剤で凝集させ捕獲することを特徴とする粉塵の吸引凝集方法。
【請求項２】
吸引側と水タンクの上部空間とを接続し、粉塵吸引ホースに接続された粉塵吸入管と凝集剤供給ホースに接続された凝集剤供給管を別々に又は１本にまとめて該水タンクの水中に導いて水中で開口させてなることを特徴とする粉塵の吸引凝集装置。
【請求項３】
吸引手段と第２水タンクの上部空間とを接続し、この第２水タンクの吸入管と第１水タンクの上部空間とを接続し、この第１水タンクの水中に前記の粉塵吸入管と凝集剤供給管を別々に又は１本にまとめて導入し開口させてなることを特徴とする請求項２に記載の粉塵の吸引凝集装置。
【請求項４】
前記の第１水タンク及び／又は第２水タンクは、水面の上下に渡る仕切り壁を設けて、その片方に流出口を配置し、他方に流入管を配置してあることを特徴とする請求項２又は請求項３に記載の粉塵吸引除去装置。
【請求項５】
前記の水タンク中に設置される流入管は、水タンクの前段で圧縮空気の流出管と接続されていて、圧縮空気力で粉塵及び／又は凝集剤が水タンクの水中に圧入される構造となっていることを特徴とする請求項２、請求項３又は請求項４に記載の粉塵の吸引凝集装置。
【請求項６】
前記の吸引手段は、請求項２に記載の水タンク又は請求項３に記載の第２水タンクからの流出流と圧縮空気発生装置からの圧縮空気流が合流して共通の排気口から流出する構造であることを特徴とする請求項２から請求項５までのいずれかの項に記載の粉塵の吸引凝集装置。
【請求項７】
前記の粉塵吸引ホースの吸引口に、アスベスト含有物やその他の粉塵発生源の掻き取り手段及び／又は環状のカバー手段及び／又は収集手段を備えていることを特徴とする請求項２から請求項６までのいずれかの項に記載の粉塵の吸引凝集装置。
【発明の詳細な説明】
【技術分野】
【０００１】
本発明は、アスベストやアスベスト含有物その他の粉塵を水中に吸引し凝集剤で捕獲する方法と装置に関する。
【背景技術】
【０００２】
構造物の解体や補修等で発生するアスベストやアスベスト含有物、モルタル等の解体や補修工事における従来の工法では、粉塵が飛散しないように散水したり粉塵飛散防止剤を散布してから撤去工事を実施するのが普通であった。しかし、その工法では、飛散防止剤が吹きつけられた材料の中まで浸透せず、また剥ぎ取り時や吹き付けアスベスト等から飛散する粉塵は作業員にも大量にかかるため、安全な作業が不可能に近いという問題を抱えている。
【０００３】
一方、アスベスト固定液を散布してアスベスト飛散防止処理を行なう方法の問題を解決すべく、特開平２-30850号に開示されているように、吸引方法の改良が提案されている。この手法は、安全かつ容易にアスベストやアスベスト含有建材を除去することができるコンパクトなアスベスト除去装置を提供するもので、吸引部材を備えたアスベスト除去器と除去アスベストの移送ホースと除去アスベスト収集器と吸引力発生用ブロアとを備えてなる構成となっている。この発明によれば、アスベストを除去し回収する際に、アスベストが飛散することなく、しかも人手に直接アスベストが接触することがないので、作業が安全かつ楽に実施できる。
【特許文献１】特開平２-30850
【発明の開示】
【発明が解決しようとする課題】
【０００４】
しかしながら、特許文献１の技法では、アスベストを含有する粉塵などを電気掃除機と同様な操作で吸引して除去するだけであって、吸引したアスベスト含有物の後処理に負担がかかるという新たな問題が生じる。また、せっかく吸引除去したアスベストが乾燥して再度大気中に浮遊したり、浮遊アスベストが外部に漏れ出さないように密閉した環境で除去作業を行なうので、作業環境が劣悪で、特に夏期の作業は困難を極めている。
【０００５】
本発明の技術的課題は、このような問題に着目し、アスベストやアスベスト含有物その他の粉塵を水中で凝集剤によって凝集し捕獲可能とする手法を実現することにあり、粉塵の再浮遊を防ぐと共に作業環境の改善を図るものである。
【課題を解決するための手段】
【０００６】
本発明の技術的課題は次のような手段によって解決される。請求項１は、上部空間が吸引手段に接続された水タンクの水中に、アスベストやその他の粉塵と凝集剤を吸入して、水中で粉塵を凝集剤で凝集させ捕獲することを特徴とする粉塵の吸引凝集方法である。このように、上部空間が吸引手段に接続された水タンクの水中に、アスベストその他の粉塵と凝集剤を吸入するため、吸引された粉塵が水中で凝集剤と接触して凝集され、沈殿するので、水中で粉塵を凝集させ捕獲することが可能となる。こうして、粉塵が凝集剤で凝集捕獲されるので、一旦除去し捕獲された粉塵が、再度空気中に浮遊するような問題が解消され、作業環境も改善される。また、凝集剤で捕獲された状態で粉塵を廃棄処理できるので、後処理も簡便となる。
【０００７】
請求項２は、吸引側と水タンクの上部空間とを接続し、粉塵吸引ホースに接続された粉塵吸入管と凝集剤供給ホースに接続された凝集剤供給管を別々に又は１本にまとめて該水タンクの水中に導いて水中で開口させてなることを特徴とする粉塵の吸引凝集装置である。水タンクは単一でもよいが、図示実施形態のように２段以上連結してもよい。このように、吸引側と水タンクの上部空間とを接続し、粉塵吸引ホースに接続された粉塵吸入管と凝集剤供給ホースに接続された凝集剤供給管を別々に又は１本にまとめて該水タンクの水中に導いて水中で開口させた構造となっているので、吸引した粉塵と凝集剤を水タンクの水中に吸入して、水中で粉塵を凝集剤で凝集捕獲することが可能となる。その結果、水中で一旦捕獲された粉塵が再度空気中で浮遊するようなことはなく、凝集捕獲された粉塵の後始末も簡便となる。
【０００８】
請求項３は、吸引手段と第２水タンクの上部空間とを接続し、この第２水タンクの吸入管と第１水タンクの上部空間とを接続し、この第１水タンクの水中に前記の粉塵吸入管と凝集剤供給管を別々に又は１本にまとめて導入し開口させてなることを特徴とする請求項２に記載の粉塵の吸引凝集装置である。このように、吸引手段と第２水タンクの上部空間とを接続し、一方、第１水タンクの水中に前記の粉塵吸入管と凝集剤供給管を別々に又は１本にまとめて導入し開口させてなり、水タンクが２段構成になっている。そのため、第１水タンクで殆どの粉塵が水中で凝集剤によって捕獲されて沈殿するため、再浮遊は発生せず、また後処理が容易になる。また、第１水タンクを通過した空気流に残存している粉塵は、次の第２水タンクの水中に吸引されて水中で捕獲されるため、清浄度の高い空気流となって大気に排出される。その結果、大気を汚染する恐れは極めて少ない。
【０００９】
請求項４は、前記の第１水タンク及び／又は第２水タンクは、水面の上下に渡る仕切り壁を設けて、その片方に流出口を配置し、他方に吸引管を配置してあることを特徴とする請求項２又は請求項３に記載の粉塵の吸引凝集装置である。このように、前記第１水タンク及び／又は第２水タンクは、水面の上下に渡る仕切り壁を設けて、その片方に流出口を配置し、他方に吸引管を配置してあるため、仕切り壁と吸引空気流の作用で水タンク中で渦巻き状の水流が発生する。その結果、流入した粉塵と凝集剤と水とが攪拌されて、粉塵が効果的に凝集剤と接して凝集捕獲される。
【００１０】
請求項５は、前記の水タンク中に設置される吸引管は、水タンクの前段で圧縮空気の流出管と接続されていて、圧縮空気力で粉塵及び／又は凝集剤が水タンクの水中に圧入される構造となっていることを特徴とする請求項２、請求項３又は請求項４に記載の粉塵の吸引凝集装置である。この際の吸引管は、前記の粉塵吸入管と凝集剤供給管を別々に又は１本にまとめて導入し開口させる流入管を指す。このように、前記の水タンク中に設置される吸引管は、圧縮空気の流出管と接続されていて、圧縮空気力で粉塵及び／又は凝集剤が水タンクの水中に圧入される構造となっているため、圧縮空気が水中で噴出する際の空気力で水中を攪拌できるので、吸入された粉塵が効果的に凝集剤と接して水中で凝集捕獲される。
【００１１】
請求項６は、前記の吸引手段は、請求項２に記載の水タンク又は請求項３に記載の第２水タンクからの流出流と圧縮空気発生装置からの圧縮空気流が合流して共通の排気口から流出する構造であることを特徴とする請求項２から請求項５までのいずれかの項に記載の粉塵の吸引凝集装置である。このように、前記の吸引手段は、請求項２に記載の水タンク又は請求項３に記載の第２水タンクからの流出流と圧縮空気発生装置からの圧縮空気流が合流して共通の排気口から流出する構造であるため、圧縮空気流によって水タンクの流出側が負圧となり、効果的に水タンクの上部空間側を排気できる。  
【００１２】
請求項７は、前記の粉塵吸引ホースの吸引口に、アスベスト含有物やその他の粉塵発生源の掻き取り手段及び／又は環状のカバー手段及び／又は収集手段を備えていることを特徴とする請求項２から請求項６までのいずれかの項に記載の粉塵の吸引凝集装置である。このように、前記の粉塵吸引ホースの吸引口に、アスベスト含有物やその他の粉塵発生源の掻き取り手段及び／又は環状のカバー手段及び／又は収集手段を備えているため、アスベスト含有物やその他の粉塵発生源の剥離・掻き取りが容易となり、また環状のカバー手段及び／又は収集手段の作用で、剥離し掻き取った粉塵を効果的に粉塵吸引ホース側にガイドして吸引できる。
【発明の効果】
【００１３】
請求項１のように、上部空間が吸引手段に接続された水タンクの水中に、アスベストその他の粉塵と凝集剤を吸入するため、吸引された粉塵が水中で凝集剤と接触して凝集され、沈殿するので、水中で粉塵を凝集させ捕獲することが可能となる。こうして、粉塵が凝集剤で凝集捕獲されるので、一旦除去し捕獲された粉塵が再度空気中に浮遊するような問題が解消され、作業環境も改善される。また、凝集剤で捕獲された状態で粉塵を廃棄処理できるので、後処理も簡便となる。
【００１４】
請求項２のように、吸引側と水タンクの上部空間とを接続し、粉塵吸引ホースに接続された粉塵吸入管と凝集剤供給ホースに接続された凝集剤供給管を別々に又は１本にまとめて該水タンクの水中に導いて水中で開口させた構造となっているので、吸引した粉塵と凝集剤を水タンクの水中に吸入して、水中で粉塵を凝集剤で凝集捕獲することが可能となる。その結果、水中で一旦捕獲された粉塵が再度空気中で浮遊するようなことはなく、凝集捕獲された粉塵の後始末も簡便となる。
【００１５】
請求項３のように、吸引手段と第２水タンクの上部空間とを接続し、一方、第１水タンクの水中に前記の粉塵吸入管と凝集剤供給管を別々に又は１本にまとめて導入し開口させてなり、水タンクが２段構成になっている。そのため、第１水タンクで殆どの粉塵が水中で凝集剤によって捕獲されて沈殿するため、再浮遊は発生せず、また後処理が容易になる。また、第１水タンクを通過した空気流に残存している粉塵は、次の第２水タンクの水中に吸引されて水中で捕獲されるため、清浄度の高い空気流となって大気に排出される。その結果、大気を汚染する恐れは極めて少ない。
【００１６】
請求項４のように、前記第１水タンク及び／又は第２水タンクは、水面の上下に渡る仕切り壁を設けて、その片方に流出口を配置し、他方に吸引管を配置してあるため、仕切り壁と吸引空気流の作用で水タンク中で渦巻き状の水流が発生する。その結果、流入した粉塵と凝集剤と水とが攪拌されて、粉塵が効果的に凝集剤と接して凝集捕獲される。
【００１７】
請求項５のように、前記の水タンク中に設置される吸引管は、圧縮空気の流出管と接続されていて、圧縮空気力で粉塵及び／又は凝集剤が水タンクの水中に圧入される構造となっているため、圧縮空気が水中で噴出する際の空気力で水中を攪拌できるので、吸入された粉塵が効果的に凝集剤と接して水中で凝集捕獲される。
【００１８】
請求項６のように、前記の吸引手段は、請求項２に記載の水タンク又は請求項３に記載の第２水タンクからの流出流と圧縮空気発生装置からの圧縮空気流が合流して共通の排気口から流出する構造であるため、圧縮空気流によって水タンクの流出側が負圧となり、効果的に水タンクの上部空間側を排気できる。  
【００１９】
請求項７のように、前記の粉塵吸引ホースの吸引口に、アスベスト含有物やその他の粉塵発生源の掻き取り手段及び／又は環状のカバー手段及び／又は収集手段を備えているため、アスベスト含有物やその他の粉塵発生源の剥離・掻き取りが容易となり、また環状のカバー手段及び／又は収集手段の作用で、剥離し掻き取った粉塵を効果的に粉塵吸引ホース側にガイドして吸引できる。
【発明を実施するための最良の形態】
【００２０】
次に本発明による粉塵の吸引凝集方法並びに装置が実際上どのように具体化されるか実施形態を説明する。図１は、本発明による粉塵の吸引凝集方法並びに装置の全容を示す縦断面図である。実施形態における粉塵の吸引凝集装置は、第１水タンク１と第２水タンク２と粉塵吸引装置３と凝集剤タンク４と吸引装置５と吸引用のエアーコンプレッサー６とから構成されている。
【００２１】
第１水タンク１中に立てた（粉塵と凝集剤の）吸入管７の上端に粉塵吸引ホース８と凝集剤供給ホース９が接続されている。凝集剤供給ホース９は、前記の凝集剤タンク４と接続されている。粉塵吸引ホース８の先端の吸入口には、アスベスト含有物やモルタルなどを掻き取るケレン棒１０などを取付けてあり、その下側には、掻き落としたアスベスト含有物などを受ける収集手器１１を取付けてある。或いは、掻き取り領域をカバーする環状のカバー手段を吸入口にスカート状に取付けると、吸入力が外に逃げるのを効果的に抑制できる。
【００２２】
吸入した粉塵や凝集剤は、ホース８、９を介して１本の合流ホース８９で合流して吸入管７に導かれ、第１水タンク１中の捕獲水Ｗ中に吸入される。吸入管７の下端は捕獲水Ｗの中まで延びていて、水中で開口している。第１水タンク１の天井部に接続されている流出管１２は、第２水タンク２の吸入管１３に接続されている。第２水タンク２中には、水面の上下に渡る仕切り壁１４を立ててあり、その片方の室に前記の吸入管１３を配置してあり、他方の室の上部空間に流出管１５を連通してある。
【００２３】
流出管１５と連通している吸引手段５は、エアーコンプレッサー６から出力する圧縮空気を利用して負圧を発生させている。エアーコンプレッサー６の圧縮空気を排気する圧縮空気流出管１６に、第２水タンク２の流出管１５を接続し連通してある。Ｖ１、Ｖ２は開閉バルブである。
【００２４】
この装置において今、エアーコンプレッサー６が作動して圧縮空気の流出管１６から圧縮空気が大気中に排気されると、圧縮空気の高速流によって負圧が発生し、流出管１５中が矢印方向に吸引される。その結果、第２水タンク２中は、仕切り壁１４の片方すなわち流出管１５側の上部空間Ｓ１が吸引される。流出管１５は、図２のように、第２水タンク２の天井部に３０度以下の傾斜角αをつけてあり、かつ仕切り壁１４の一端に向けてあるため、図３のように、仕切り壁１４の一端側の隙間Ｇ１が吸引され、負圧が最大となる。
【００２５】
その結果、空間Ｓ１中は、隙間Ｇ１側が吸引されることによって、矢印ａ１方向の渦流が発生し、したがって、捕獲水Ｗも渦流が発生する。また、仕切り壁１４の他方の空間Ｓ２側も、隙間Ｇ１側が吸引されることによって、隙間Ｇ１側に吸引される空気流と水流が発生し、渦流となる。このような渦流が発生する際に、水Ｗ中の吸入管１３の開口の空気が吸引されるため、吸入管１３中の空気が連続的に水中を通過して流出管１５側に吸引される。一部の空気は、仕切り壁１４の下端と水タンク底壁間の隙間Ｇ３を通過して、流出管１５側に吸引排気される。
【００２６】
こうして、渦流を発生させながら、水Ｗ中を吸入管１３の空気が通過する際に、空気流中の粉塵が水中で凝集剤によって捕獲される。吸引管１３の下端１３ａを直角に曲げて、その開口を横向きにしてある。しかも、図３のように、水中の空気流の方向ａ１と逆向きにしてあるので、吸入管１３中の空気は容易に水中の空気流に引きずられて水中に混入した後、仕切り壁１４の一端や下端の隙間Ｇ１、Ｇ３を通過して、流出管１５・１６側に流出する。
【００２７】
このようにして吸引管１３中が矢印方向に吸引されることによって、第１水タンク１の流出管１２中も負圧になっているので、第１水タンク１中の上部空間が負圧になって吸入管７中を矢印方向に吸引する。吸入管７の下端は、第２水タンク２の流出管１５と同様に傾斜角を持たせたり、吸引管１３の下端１３ａのように横向きにしてあるので、流出する空気流によって水中に渦流が発生する。その結果、吸入管７の空気流に混入している粉塵と凝集剤が捕獲水Ｗ中で攪拌されるため、水中で粉塵が凝集剤で捕獲されるので、エアーコンプレッサー６による吸引を停止すると、捕獲された粉塵がブロック（塊）となって水中に沈殿する。したがって、アスベストなどの粉塵は凝集剤で捕獲された状態で廃棄でき、廃棄処理が簡便になる。
【００２８】
水タンクの水中のアスベスト残存量を試験した結果、第１水タンク１の水Ｗ中の凝集沈殿物中のアスベスト量は１．５％であったのに対し、その上澄み中のアスベスト量は０．１％であり、大部分のアスベストが凝集沈殿していることが明らかになった。また、次の第２水タンク２中の凝集沈殿物中のアスベスト量は０．２％以下であったのに対し、その上澄み中のアスベスト量は０．１％以下であり、第１、第２の水タンクを経ることによって、ほぼ確実にアスベストが凝集捕獲されていることが判明した。
【００２９】
吸入管７中が吸引されて負圧になるため、粉塵吸引ホース８や凝集剤供給ホース９中も負圧になるので、ケレン棒１０で掻き取られた粉塵や凝集剤タンク４中の凝集剤も吸引されて、合流ホース８９で合流し、吸入管７から捕獲水Ｗ中に混入する。
【００３０】
第１水タンク１では、前記の仕切り壁１４を設けてないが、必要に応じて設けることもできる。第１水タンク１の水Ｗ中でも渦流を発生させて、水中で粉塵と凝集剤を混合して粉塵を効果的に凝集剤で捕獲できれば、流出管１２側への流出空気流は粉塵を皆無にできる。したがって、第１水タンク１の捕獲能力が高ければ、第２水タンク２は必ずしも使用する必要もない。しかしながら、図示実施形態では、第１水タンク１で捕獲できない粉塵が残存する場合は、次の第２水タンク２で捕獲するべく２段構成にして、安全性を高めている。
【００３１】
図示実施形態では、すべての空気流を、吸引手段５による吸引力に頼っているが、第１水タンク１や第２水タンク２中の吸入管７、１３に圧縮空気を供給して、圧縮空気を水中に噴出させることもできる。例えば、水タンクの前段で圧縮空気の流出管を接続しておけば、圧縮空気の圧力によっても水中で渦流を発生させることができる。この圧縮空気流出管に前記合流ホース８９を接続すれば、圧縮空気流による負圧で、合流ホース８９中の粉塵や凝集剤も吸引されて、吸入管７中に吸引され、かつ水中に吸入されることになる。
【産業上の利用可能性】
【００３２】
以上のように、本発明によると、水タンクの水中に粉塵と凝集剤を吸入するため、水中で粉塵を凝集剤で捕獲でき、一旦捕獲した粉塵が再度大気中に浮遊するといった問題が解消され、安全な作業環境が確保可能となる。このように、水をフィルター代わりに使うことによってフイルターの取替え等が不必要となり、作業も短縮できる。しかも、吸引捕獲した粉塵の廃棄処理が簡便となり、凝集沈殿物を除去した後の水は再利用できる。固定液や水を散布する必要がないので、コンピュータ室などのような機械装置の現存する場所でも機械装置に悪影響を与える恐れがない。
【図面の簡単な説明】
【００３３】
【図１】本発明による粉塵の吸引凝集方法並びに装置の全容を示す縦断面図である。
【図２】第２水タンクの流出管の傾斜角αを示す側面図である。
【図３】仕切り壁位置における水平断面図である。
【符号の説明】
【００３４】
１  第１水タンク
２  第２水タンク
３  粉塵吸引装置
４  凝集剤タンク
５  吸引手段
６  エアーコンプレッサー
７  粉塵と凝集剤の吸入管
８  粉塵吸引ホース
９  凝集剤供給ホース
８９  合流ホース
１０  ケレン棒
１１  粉塵収集器  
１２  流出管
１３  吸入管
１４  仕切り壁
１５  流出管
Ｓ１  流出側の室
Ｓ２  吸入側の室
Ｇ１  仕切り壁の一端の隙間
Ｇ２  仕切り壁の他端の隙間
Ｇ３  仕切り壁下端の隙間
【図１】
2007319826.tif 000003
【図２】
2007319826.tif 000004
【図３】
2007319826.tif 000005